(57)【要約】【課題】安全帯のフックの取着作業を容易にすることで、より安定した作業を行うことができ、作業性の向上を図ることのできる安全器具を提供する。【解決手段】安全器具１は長尺状をなし支持部材を構成する支持棒２と、該支持棒２の先端部に溶接固定された環状の取付フック３と、支持棒２の基端部及び長手方向略中央部に溶接固定された略Ｄ字状のＤ環フック４，５とを具備している。高所作業をする際に、作業者は、Ｄ環フック４又はＤ環フック５に安全帯のフックを取着した後、取付フック３を取着対象物に取着し、安全帯と取着対象物とを連結させる。【選択図】      図１
2005006928.tif 000002
【特許請求の範囲】
【請求項１】
棒状の支持部材と、前記支持部材の略先端部に設けられ、取着対象物に取り付けられる取付部と、前記支持部材における前記取付部とは別の位置に設けられ、安全帯のフックが取り付けられる環状の留め部とを備えることを特徴とする安全器具。
【請求項２】
棒状の支持部材と、前記支持部材の略先端部に設けられ、取着対象物に取り付けられる取付部と、前記支持部材における前記取付部とは別の位置に設けられ、安全帯のフックが取り付けられる環状の留め部とを備え、
前記取付部は、間隙部を有する鉤状の本体部と、前記間隙部を開閉可能に設けられた開閉部材とを具備することを特徴とする安全器具。
【請求項３】
棒状の支持部材と、
高所に位置し、両端が固定された棒状体又は環状体の取着対象物に取り付けられるべく、前記支持部材の略先端部に設けられた取付部と、
作業者の胴部に巻きつけられるベルト、該ベルトから延びるロープ、及び該ロープの先端に設けられたフックを備えた安全帯の前記フックが取り付けられるべく、前記支持部材における前記取付部とは別の位置に設けられた環状の留め部とを備えた安全器具であって、
前記取付部は、間隙部を有する鉤状の本体部と、前記間隙部を開閉可能に設けられた開閉部材とを具備することを特徴とする安全器具。
【請求項４】
前記開閉部材を開閉操作するための開閉操作手段と、前記開閉部材を閉状態に維持する閉状態維持手段とを備えていることを特徴とする請求項２又は３に記載の安全器具。
【請求項５】
前記開閉操作手段は前記支持部材のうちの少なくとも基端部付近において操作可能になっていることを特徴とする請求項２乃至４のいずれかに記載の安全器具。
【請求項６】
少なくとも１つの前記留め部は前記支持部材の基端部又はその近傍に設けられていることを特徴とする請求項１乃至５のいずれかに記載の安全器具。
【発明の詳細な説明】
【０００１】
【発明の属する技術分野】
本発明は、安全器具に関するものである。
【０００２】
【従来の技術】
高所にある設備を清掃したりメンテナンスしたりするなどの高所作業を行うにあたり、作業者は安全帯を装着することとなる。一般的に、安全帯は、胴部に巻きつけられるベルトと、該ベルトから延びるロープと、該ロープの先端に設けられたフックとから構成されている。そして、高所作業を行うに際しては、前記フックを、別途固定状態にある取着対象物に取着固定することで、作業者の安全確保が図られている（例えば、特許文献１参照。）。
【０００３】
【特許文献１】
特開２００２−３３６３６７号公報
【０００４】
【発明が解決しようとする課題】
しかしながら、従来では、作業者は前記フックを手に持ちつつ、該フックを手の届く範囲の取着対象物に対して取着せざるを得なかった。そのため、取着対象物が高所に位置していたり、作業者の手の届きにくい場所に位置していたりする場合には、作業者は、かかる取着対象物に手を届かせるべく脚立の天辺に乗ったり、無理な体勢をとったりしなければならないケースがあった。この場合、作業が不安定となったりして作業性の悪化を招くおそれがあった。
【０００５】
そこで、本発明では、安全帯のフックの取着作業を容易にすることで、より安定した作業を行うことができ、作業性の向上を図ることのできる安全器具を提供することを技術的課題としている。
【０００６】
【課題を解決するための手段及び発明の効果】
以下、上記課題等を解決するのに適した各手段につき項分けして説明する。なお、必要に応じて対応する手段に特有の作用効果等を付記する。
【０００７】
手段１．棒状の支持部材と、前記支持部材の略先端部に設けられ、取着対象物に取り付けられる取付部と、前記支持部材における前記取付部とは別の位置に設けられ、安全帯のフックが取り付けられる環状の留め部とを備えることを特徴とする安全器具。
【０００８】
手段１によれば、例えば、高所での作業に先立って、安全帯のフックを留め部に取り付け、取付部を取着対象物に取着することで、安全帯を取着対象物に対して安全器具を介し、連結することができる。従って、取着対象物が高所に位置していたり、取着対象物が作業者の近づきにくい（手の届きにくい）位置にあったりした場合でも、作業者は、取着対象物から比較的離れたより安定した位置にいながら取着対象物に対して取付部を取着することができる。例えば、取着対象物が、相当高所に位置する場合であっても、作業者はより低い位置から取着対象物に対して取付部を取着することができる。すなわち、より安定した位置（低い位置）にいながら安全帯を連結することができる。その結果、より安定した作業を行うことができ、作業性の向上を図ることができる。
【０００９】
手段２．棒状の支持部材と、前記支持部材の略先端部に設けられ、取着対象物に取り付けられる取付部と、前記支持部材における前記取付部とは別の位置に設けられ、安全帯のフックが取り付けられる環状の留め部とを備え、
前記取付部は、間隙部を有する鉤状の本体部と、前記間隙部を開閉可能に設けられた開閉部材とを具備することを特徴とする安全器具。
【００１０】
手段２によれば、上記手段１による作用効果に加えて、開閉部材を開状態とすることで間隙部が形成され、該間隙部から本体部の内側に取着対象物を挿通させることができる。一方、開閉部材を閉状態とすることで、取着対象物の挿通状態を維持することができる。つまり、取付部による取着対象物への取付状態を確実に保つことができる。従って、開閉部材を閉状態とすることで、安全器具が取着対象物から外れてしまうという事態を抑制することができる。
【００１１】
手段３．棒状の支持部材と、
高所に位置し、両端が固定された棒状体又は環状体の取着対象物に取り付けられるべく、前記支持部材の略先端部に設けられた取付部と、
作業者の胴部に巻きつけられるベルト、該ベルトから延びるロープ、及び該ロープの先端に設けられたフックを備えた安全帯の前記フックが取り付けられるべく、前記支持部材における前記取付部とは別の位置に設けられた環状の留め部とを備えた安全器具であって、
前記取付部は、間隙部を有する鉤状の本体部と、前記間隙部を開閉可能に設けられた開閉部材とを具備することを特徴とする安全器具。
【００１２】
手段３によれば、基本的には上記手段２と同様の効果を奏せしめる。
【００１３】
手段４．前記開閉部材を開閉操作するための開閉操作手段と、前記開閉部材を閉状態に維持する閉状態維持手段とを備えていることを特徴とする手段２又は３に記載の安全器具。
【００１４】
手段４によれば、閉状態維持手段によって、開閉部材を閉状態となる位置に維持することができる。そのため、取付部の内側に挿通された取着対象物の挿通状態をより確実に維持することができる。結果として、安全器具が取着対象物から外れてしまうといった事態をより確実に抑制することができる。また、開閉操作手段を操作することで前記開閉部材を開閉させることができる。従って、開閉操作手段を作業者により近い位置で操作可能とすることで、開閉に際しての操作性の向上を図ることができる。
【００１５】
手段５．前記開閉操作手段は前記支持部材のうちの少なくとも基端部付近において操作可能になっていることを特徴とする手段２乃至４のいずれかに記載の安全器具。
【００１６】
手段５によれば、支持部材の基端部付近で開閉操作手段を操作することで、前記開閉部材を開閉させることができる。このため、開閉作業を容易に行うことができ、操作性，作業性の向上を図ることができる。
【００１７】
手段６．少なくとも１つの前記留め部は前記支持部材の基端部又はその近傍に設けられていることを特徴とする手段１乃至５のいずれかに記載の安全器具。
【００１８】
手段６によれば、支持部材の長さを十分に生かすことができ、作業者の位置からより遠くの取着対象物に対して安全器具を取着することができる。
【００１９】
手段７．前記支持部材は伸縮自在に設けられていることを特徴とする手段１乃至６のいずれかに記載の安全器具。
【００２０】
手段７によれば、作業者と取着対象物との距離に応じて適宜長さを調節することができる。また、収納に必要とするスペースを抑制することができる。なお、支持部材の各長さ段階においてその状態を保持可能とするよう構成してもよい。また、支持部材の長さを段階的に調節可能としてもよい。
【００２１】
【発明の実施の形態】
以下に、一実施の形態について図面を参照しつつ説明する。
【００２２】
図１は安全器具１の正面図であり、図２は安全器具１の側面図である。これらの同図に示すように、安全器具１は長尺状をなし支持部材を構成する支持棒２と、該支持棒２の先端部に溶接固定され、環状をなす取付部としての取付フック３と、支持棒２の基端部及び長手方向略中央部に溶接固定され、留め部を構成する略Ｄ字状のＤ環フック４，５とを具備している。Ｄ環フック４，５は、取付フック３に対し、直交する方向に延びている。かかるＤ環フック４又はＤ環フック５に安全帯１０１のフック１０４が取着されることとなる。なお、安全帯１０１は、作業者の腰に巻きつけられるベルト１０２、該ベルト１０２から延びるロープ１０３、該ロープ１０３の先端に取り付けられたフック１０４により構成されている（図７参照）。一方、取付フック３は、後述する取着対象物（本例では鉄格子１４）に取着されることとなる。
【００２３】
また、前記支持棒２には、所定間隔毎に環状の挿通環６が溶接固定されている。
【００２４】
さて、取付フック３は、側部に間隙部を有するべく略Ｃ字状をなす本体部７と、本体部７の一方の端部に図示しないヒンジを介して回動可能に設けられた開閉部材８とを備えている。かかる開閉部材８は、常には図示しないばねの働きによって間隙をなくす位置（閉状態）となるよう構成されている。また、開閉部材８の閉状態においては、開閉部材８が取付フック３の外周方向へ回動するのを規制するべく、開閉部材８の先端部と本体部７の他方の端部９とが略係合するよう構成されている。なお、本実施の形態では、図示しないばねと端部９とで閉状態維持手段を構成する。
【００２５】
開閉部材８には、当該開閉部材８から支持棒２と交差するようにして延びる連動部材１０が溶接固定されている。また、連動部材１０の先端部には、ワイヤー１１が取着されている。詳しくは、連動部材１０の先端部には貫通孔が形成されており、かかる貫通孔にワイヤー１１の一端部を挿通させ縛着等することで、ワイヤー１１と連動部材１０とが連結されている。該ワイヤー１１は、前記挿通環６の内周（開口）を挿通するようにして支持棒２の下方まで延びている。かかるワイヤー１１の下端部には環状の操作つまみ１２が取着されている。つまり、かかる操作つまみ１２が連動部材１０及びワイヤー１１を介して開閉部材８と繋がっており、操作つまみ１２を引っ張ると、開閉部材８が取付フック３の内周方向に回動され、前記間隙部が形成されるよう構成されている。なお、本実施の形態では、連動部材１０とワイヤー１１とで開閉操作手段を構成する。
【００２６】
上記のように構成されてなる安全器具１の使用態様を、塗装用の作業ブースの天井部に安全器具１を介して安全帯を連結する場合を例に挙げ説明する。
【００２７】
まず、塗装用作業ブースの概略を説明する。図７に示すように、塗装用作業ブースの天井には、防塵用のフィルタ１３と、該フィルタ１３を支持するための取着対象物を構成する鉄格子１４とが設けられている。鉄格子１４は、断面円状の金属棒が格子状に張り巡らされた状態で固定されている。なお、フィルタ１３は鉄格子１４の上面に載置されているだけであり、特に各部位において固定はされていない。また、前記鉄格子１４の格子間隔は、前記安全器具１の上端部が挿通されるだけの十分な大きさとなっている。
【００２８】
次に、安全器具１の鉄格子１４への取付作業の手順について図４〜６等を参照しつつ説明する。
【００２９】
まず、Ｄ環フック４又はＤ環フック５に安全帯１０１のフック１０４を取り付ける（図７参照）。続いて、図４に示すように、安全器具１の上端部を、鉄格子１４の金属棒と金属棒との間（格子間）に挿通させ、該安全器具１の上端で前記フィルタ１３を押し上げる。なお、フィルタ１３は比較的軽量であるため、安全器具１の上端で押圧することで容易に押し上げることができる。
【００３０】
そして、図５に示すように、フィルタ１３を押し上げた状態で、前記操作つまみ１２を下方に引っ張る。これにより、開閉部材８が開状態となり、取付フック３に間隙部が形成される（図３参照）。そして、かかる間隙部から鉄格子１４の金属棒を取付フック３の内周方向に挿通させるよう安全器具１を移動させる。
【００３１】
図６に示すように、取付フック３の内周に鉄格子１４の金属棒を挿通させた時点で、操作つまみ１２の引っ張りを解除し、開閉部材８が取付フック３の間隙をなくす位置へと戻った時点で、安全器具１の鉄格子１４（の金属棒）への取付を終了する。上記一連の取付作業により、安全帯１０１が鉄格子１４に連結されることとなる。
【００３２】
以上詳述したように、本実施の形態では、高所での作業に先立って、安全帯１０１のフック１０４をＤ環フック４又はＤ環フック５に取り付け、取付フック３を取着対象物たる鉄格子１４に取り付けることで、安全帯１０１を取着対象物（格子１４）に対して安全器具１を介し、連結することができる。従って、取着対象物が相当高所に位置していたり、取着対象物が作業者の手の届きにくい位置にあったりした場合でも、作業者は、取着対象物から比較的離れたより安定した位置にいながら取着対象物に対して取付フック３を取着することができる。例えば、取着対象物が、相当高所に位置する場合であっても、作業者はより低い位置から取着対象物に対して取付フック３を取着することができる。すなわち、より安定した位置（低い位置）にいながら安全帯１０１を連結することができる。その結果、より安定した作業を行うことができ、作業性の向上を図ることができる。
【００３３】
また、本実施の形態では、開閉部材８を開状態とすることで取付フック３に間隙部が形成され、該間隙部から取付フック３（本体部７）の内側に取着対象物を挿通させることができる。一方、開閉部材８を閉状態（間隙部をなくす状態）とすることで、取着対象物の挿通状態を維持することができる。つまり、取付フック３による取着対象物への取付状態を確実に保つことができる。従って、開閉部材８を閉状態とすることで、安全器具１が取着対象物から外れてしまうという事態を抑制することができる。
【００３４】
さらに、操作つまみ１２が連動部材１０及びワイヤー１１を介して開閉部材８と連結されており、操作つまみ１２を引っ張ることで、開閉部材８を開状態とすることができる。すなわち、上記のように取付フック３を環状に構成した場合でも、作業者は、取着対象物から比較的離れたより安定した位置にいながら取着対象物から取付フック３を取り外すことができる。その結果、より安定した作業を行うことができ、作業性の向上を図ることができる。
【００３５】
併せて、開閉部材８は、常には図示しないばねの働きによって間隙をなくす位置となるよう構成されている。また、開閉部材８が間隙をなくす位置となった状態において、開閉部材８の先端部と端部９とが略係合し、開閉部材８が取付フック３の外周方向へ回動するのを規制するよう構成されている。従って、開閉部材８を閉状態となる位置に維持することができ、取付フック３の内側に挿通された取着対象物の挿通状態をより確実に維持することができる。結果として、安全器具１が取着対象物から外れてしまうといった事態をより確実に抑制することができる。
【００３６】
加えて、支持棒２の基端部に設けられたＤ環フック４に安全帯１０１のフック１０４を取り付ける場合には、支持棒２の長さを十分に生かすことができ、作業者の位置からより遠くの取着対象物に対して安全器具１を取着することができる。勿論、Ｄ環フック５にフック１０４を取り付けてもよい。
【００３７】
なお、従来では、作業者が安全帯のフックを安定した状態で取着対象物に取着できるようにするために、別途足場を組んだり、作業ブースの適度な高さ位置に取着対象物としてのワイヤーロープを張り、該ワイヤーロープに対して安全帯のフックを取着したりすることも想定される。しかし、高所作業を行う毎にワイヤーロープを張ったり足場を組んだりするには多大な労力と時間を必要とする。一方、ワイヤーロープを張ったままにしておいたり足場を組んだままにしておくと邪魔になるおそれがある。この点、本例では、そのような複雑な構成を採用することなく、安全帯１０１をより安全かつ容易に取着対象物に対して連結することができる。
【００３８】
尚、上記実施の形態の記載内容に限定されず、例えば次のように実施してもよい。勿論、以下において例示しない他の応用例、変更例も当然可能である。
【００３９】
（ａ）上記実施の形態では、取付フック３及びＤ環フック４，５が支持棒２に溶接固定されていたが特にかかる構成に限定されるものではない。例えば、支持棒２と取付フック３及びＤ環フック４とを一体的に形成することとしてもよい。
【００４０】
（ｂ）支持棒２を伸縮自在に構成してもよい。かかる構成を採用した場合には、作業者と取着対象物との距離に応じて適宜長さを調節することができる。また、安全器具１の収納に必要とするスペースを抑制することができる。なお、支持棒２の各長さ段階においてその状態を保持可能とするよう構成してもよい。また、支持棒２の長さを段階的に調節可能としてもよい。
【００４１】
（ｃ）本実施の形態における支持棒２を筒状とし、かかる支持棒２の内部にワイヤー１１を挿通させ、支持棒２の基端部においてワイヤー１１を引っ張ることで開閉部材８を開状態とできるよう構成してもよい。その場合には、ワイヤー１１が支持棒２の内部に収容されることとなり、例えば、ワイヤー１１がねじれたり、引っ掛かったりするといった不具合を抑制することができる。また、挿通環６を省略することもできる。
【図面の簡単な説明】
【図１】安全器具の正面図である。
【図２】安全器具の側面図である。
【図３】開閉部材が開状態にある安全器具の正面図である。
【図４】安全器具の取付過程を示す安全器具先端部の正面図である。
【図５】取付過程を示す安全器具先端部の正面図である。
【図６】取付完了時における安全器具先端部の正面図である。
【図７】安全器具の使用状態を示す模式図である。
【符号の説明】
１…安全器具、２…支持部材としての支持棒、３…取付部としての取付フック、４，５…留め部としてのＤ環フック、７…本体部、８…開閉部材、９…閉状態維持手段を構成する端部、１０…開閉操作手段を構成する連動部材、１１…開閉操作手段を構成するワイヤー、１４…取着対象物としての格子。
【図１】
2005006928.tif 000003
【図２】
2005006928.tif 000004
【図３】
2005006928.tif 000005
【図４】
2005006928.tif 000006
【図５】
2005006928.tif 000007
【図６】
2005006928.tif 000008
【図７】
2005006928.tif 000009